(57)【要約】      （修正有）【課題】熟練を要することなく、何人も簡単、且つ迅速に、２つのサイズの毛糸玉を作成することができる毛糸玉作成具を提供する。【解決手段】第１の大径の毛糸玉巻き付け部材１および第１の小径の毛糸玉巻き付け部材２の基端部が、連結板３ａを介して横方向に一体に連結固定されると共に、連結板３ａに設置された回動および傾斜停止手段６に、第１の大径の毛糸玉巻き付け部材１および第１の小径の毛糸玉巻き付け部材２と、ほぼ上下対称に形成された第２の大径の毛糸玉巻き付け部材４および第２の小径の毛糸玉巻き付け部材５の基端部が、回動可能、且つ任意角度位置に傾斜停止可能に軸支され形成される。【選択図】図５
0003214480.tif 000002
【実用新案登録請求の範囲】
【請求項１】
全体的にほぼ同一形状に形成された第１の大径の毛糸玉巻き付け部材１と第１の小径の毛糸玉巻き付け部材２のそれぞれの基端部が、連結板３ａ・３ｂを介して横方向に一体に連結固定されると共に、前記連結板３ａ・３ｂに設置された回動および傾斜停止手段６に、前記第１の大径の毛糸玉巻き付け部材１および第１の小径の毛糸玉巻き付け部材２とほぼ上下対称に形成された第２の大径の毛糸玉巻き付け部材４および第２の小径の毛糸玉巻き付け部材５の基端部が、回動可能で、且つ任意角度位置に傾斜停止可能に軸支され、更に、前記第２の大径の毛糸玉巻き付け部材４および第２の小径の毛糸玉巻き付け部材５を、前記回動および傾斜停止手段６を介して、前記第１の大径の毛糸玉巻き付け部材１および第１の小径の毛糸玉巻き付け部材２の上方側へ回動させて、該第１の大径の毛糸玉巻き付け部材１および第１の小径の毛糸玉巻き付け部材２とを当接してストッパー手段７で接合固定できるよう形成された毛糸玉作成具であって、
前記第１の大径の毛糸玉巻き付け部材１および第２の大径の毛糸玉巻き付け部材４、並びに前記第１の小径の毛糸玉巻き付け部材２および第２の小径の毛糸玉巻き付け部材５の中央部付近には、２組の半円環状板８ａ・８ｂおよび９ａ・９ｂが、毛糸挿通用隙間１０を形成できるようにして対面して連結固定されて 、下方側へ湾曲して突出した第１の大径の毛糸玉巻き付け具１１および上方側へ湾曲して突出した第２の大径の毛糸玉巻き付け具１２、並びに下方側へ湾曲して突出した第１の小径の毛糸玉巻き付け具１３および上方側へ湾曲して突出した第２の小径の毛糸玉巻き付け具１４とがそれぞれ形成され、更に、前記第１の大径の毛糸玉巻き付け具１１および第２の大径の毛糸玉巻き付け具１２、並びに第１の小径の毛糸玉巻き付け具１３および第２の小径の毛糸玉巻き付け具１４をそれぞれ構成する各半円環状板８ａ・８ｂおよび９ａ・９ｂの外側方向へ拡開した傾斜面１５を備えて形成される一方、
前記各半円環状板８ａ・８ｂおよび９ａ・９ｂの両側開放端部に、それぞれ直角に突出片１６ａ・１６ｂを延設すると共に、前記対面する半円環状板８ａ・８ｂおよび９ａ・９ｂにそれぞれ延設された突出片１６ａ・１６ｂとを、毛糸Ｋおよび鋏Ｈの刃先部を挿通する挿通孔１８ａ・１８ｂをそれぞれ開口した、倒Ｕ字状をした連結片１９ａ・１９ｂの両側開放端縁部に連結固定して、前記半円環状板８ａ・８ｂおよび９ａ・９ｂの前後位置に、毛糸Ｋの巻き付け用の空隙部２０ａ・２０ｂをそれぞれ備えて形成したことを特徴とする毛糸玉作成具。
【請求項２】
請求項１記載の毛糸玉作成具において、突出片１６ａ・１６ｂの各対面する前後端縁に、湾曲端面２１ａ・２１ｂが設けられると共に、前記半円環状板８ａ・８ｂおよび９ａ・９ｂに近接する内方側の連結片１９ａ・１９ｂに、巻初めや、巻終わりの毛糸Ｋの端部を掛止する掛止用スリット２２ａ・２２ｂをそれぞれ形成したことを特徴とする毛糸玉作成具。
【請求項３】
請求項１記載の毛糸玉作成具において、回動および傾斜停止手段６が、連結板３ａ・３ｂの上方に間隔をおいて突設された取付部２３ａ・２３ｂの内側面に、支軸２４ａ・２４ｂを対面してそれぞれ突設すると共に、該各支軸２４ａ・２４ｂの近傍の取付部２３ａ・２３ｂに半球状突起２５ａ・２５ｂをそれぞれ突設する一方、前記第２の大径の毛糸玉巻き付け部材４および第２の小径の毛糸玉巻き付け部材５の基端部に、前記各支軸２４ａ・２４ｂに嵌合する凹溝２６ａ・２６ｂを凹設した肉厚の軸受部２７ａ・２７ｂを突設し、前記第２の大径の毛糸玉巻き付け部材４および第２の小径の毛糸玉巻き付け部材５が、前記各支軸２４ａ・２４ｂに嵌合した軸受部２７ａ・２７ｂを介して回動し、更に、前記第２の大径の毛糸玉巻き付け部材４および第２の小径の毛糸玉巻き付け部材５が、前記第１の大径の毛糸玉巻き付け部材１および第２の小径の毛糸玉巻き付け部材２に対して、それぞれ任意の傾斜角度位置で停止することができるよう、前記各取付部２３ａ・２３ｂの各半球状突起２５ａ・２５ｂが、前記軸受部２７ａ・２７ｂの両端外周壁面２８ａ・２８ｂに沿ってスライドして嵌合する、複数個の半球状凹部２９をそれぞれ所定角度の位相差をもって、該軸受部２７ａ・２７ｂの両端外周壁面２８ａ・２８ｂに凹設して形成したことを特徴とする毛糸玉作成具。
【請求項４】
請求項１記載の毛糸玉作成具において、ストッパー手段７が、第１の大径の毛糸玉巻き付け部材１および第１の小径の毛糸玉巻き付け部材２の先端縁部に小突片３０を突設すると共に、該小突片３０の中央上部に半球状突起３１を突設する一方、前記第２の大径の毛糸玉巻き付け部材４および第２の小径の毛糸玉巻き付け部材５の先端縁部に、前記小突片３０よりは長い突片３２を突設すると共に、該突片３２の下面に前記半球状突起３１を嵌合する半球状凹部３３が凹設され、更に、前記突片３２の端部には、断面倒凹状の嵌合部材３４の基端部を回動自在に軸支し、且つ前記嵌合部材３４には前記突片３２の上面に突設されたストッパー用半球状突起３５に嵌合するストッパー用凹部３６をそれぞれ凹設して形成したことを特徴とする毛糸玉作成具。
【考案の詳細な説明】
【技術分野】
【０００１】
本考案は、毛糸を巻き付けて球形状に作成して、帽子や被服あるいはバッグ等の装飾用として使用する毛糸玉を作成する毛糸玉作成具に係り、特に、熟練を要することなく、何人も簡単、且つ迅速に、大径と小径のサイズの異なる２種類の毛糸玉を作成することができる毛糸玉作成具に関する。
【背景技術】
【０００２】
従来、熟練を要することなく、何人も簡単に毛糸玉を作成することができる毛糸玉作成具については、例えば、下記特許文献に示す毛糸玉作成具が公知である。
【先行技術文献】
【特許文献】
【０００３】
【特許文献１】実公訟昭５９-４３４３２号公報
【考案の概要】
【考案が解決しようとする課題】
【０００４】
前記特許文献１に記載された毛糸玉作成具は、熟練を要することなく、何人でも簡単に毛糸玉を作成することができるが、該毛糸玉作成具は、第１部材と第２部材が別体で形成されているため、それぞれ第１部材と第２部材に毛糸を巻き付け、その後両者を接合するため、毛糸玉作成に手間がかかり、スムーズに毛糸玉を作成することができないという課題があった。また、大径と小径のサイズの異なる２種類の毛糸玉を作成することができないという課題があった。
【０００５】
本考案は、前記課題を解決すべくなされたものであって、全体的にほぼ同一形状に形成された第１の大径の毛糸玉巻き付け部材および第１の小径の毛糸玉巻き付け部材の基端部が、連結板を介して横方向に一体に連結固定されると共に、前記連結板に設置された回動および傾斜停止手段に、前記第１の大径の毛糸玉巻き付け部材および第１の小径の毛糸玉巻き付け部材と、ほぼ上下対称に形成された第２の大径の毛糸玉巻き付け部材および第２の小径の毛糸玉巻き付け部材の基端部が軸支されて形成され、前記第１の大径の毛糸玉巻き付け部材および第１の小径の毛糸玉巻き付け部材、並びに第２の大径の毛糸玉巻き付け部材と第２の小径の毛糸玉巻き付け部材に、毛糸を巻付けて、熟練を要することなく、極めて簡単、且つ迅速に、大径と小径のサイズの異なる２種類の毛糸玉を作成することができる毛糸玉作成具を提供することを目的とする。
【課題を解決するための手段】
【０００６】
本考案は前記問題点を解決すべくなされたもので、下記構成より成る毛糸玉作成具が提供される。
【０００７】
請求項１においては、
全体的にほぼ同一形状に形成された第１の大径の毛糸玉巻き付け部材１と第１の小径の毛糸玉巻き付け部材２のそれぞれの基端部が、連結板３ａ・３ｂを介して横方向に一体に連結固定されると共に、前記連結板３ａ・３ｂに設置された回動および傾斜停止手段６に、前記第１の大径の毛糸玉巻き付け部材１および第１の小径の毛糸玉巻き付け部材２とほぼ上下対称に形成された第２の大径の毛糸玉巻き付け部材４および第２の小径の毛糸玉巻き付け部材５の基端部が、回動可能で、且つ任意角度位置に傾斜停止可能に軸支され、更に、前記第２の大径の毛糸玉巻き付け部材４および第２の小径の毛糸玉巻き付け部材５を、前記回動および傾斜停止手段６を介して、前記第１の大径の毛糸玉巻き付け部材１および第１の小径の毛糸玉巻き付け部材２の上方側へ回動させて、該第１の大径の毛糸玉巻き付け部材１および第１の小径の毛糸玉巻き付け部材２とを当接してストッパー手段７で接合固定できるよう形成された毛糸玉作成具であって、
前記第１の大径の毛糸玉巻き付け部材１および第２の大径の毛糸玉巻き付け部材４、並びに前記第１の小径の毛糸玉巻き付け部材２および第２の小径の毛糸玉巻き付け部材５の中央部付近には、２組の半円環状板８ａ・８ｂおよび９ａ・９ｂが、毛糸挿通用隙間１０を形成できるようにして対面して連結固定されて 、下方側へ湾曲して突出した第１の大径の毛糸玉巻き付け具１１および上方側へ湾曲して突出した第２の大径の毛糸玉巻き付け具１２、並びに下方側へ湾曲して突出した第１の小径の毛糸玉巻き付け具１３および上方側へ湾曲して突出した第２の小径の毛糸玉巻き付け具１４とがそれぞれ形成され、更に、前記第１の大径の毛糸玉巻き付け具１１および第２の大径の毛糸玉巻き付け具１２、並びに第１の小径の毛糸玉巻き付け具１３および第２の小径の毛糸玉巻き付け具１４をそれぞれ構成する各半円環状板８ａ・８ｂおよび９ａ・９ｂの外側方向へ拡開した傾斜面１５を備えて形成される一方、
前記各半円環状板８ａ・８ｂおよび９ａ・９ｂの両側開放端部に、それぞれ直角に突出片１６ａ・１６ｂを延設すると共に、前記対面する半円環状板８ａ・８ｂおよび９ａ・９ｂにそれぞれ延設された突出片１６ａ・１６ｂとを、毛糸Ｋおよび鋏Ｈの刃先部を挿通する挿通孔１８ａ・１８ｂをそれぞれ開口した、倒Ｕ字状をした連結片１９ａ・１９ｂの両側開放端縁部に連結固定して、前記半円環状板８ａ・８ｂおよび９ａ・９ｂの前後位置に、毛糸Ｋの巻き付け用の空隙部２０ａ・２０ｂをそれぞれ備えて形成したことを特徴とする毛糸玉作成具。が提供され、
【０００８】
請求項２においては、
請求項１記載の毛糸玉作成具において、突出片１６ａ・１６ｂの各対面する前後端縁に、湾曲端面２１ａ・２１ｂが設けられると共に、前記半円環状板８ａ・８ｂおよび９ａ・９ｂに近接する内方側の連結片１９ａ・１９ｂに、巻初めや、巻終わりの毛糸Ｋの端部を掛止する掛止用スリット２２ａ・２２ｂをそれぞれ形成したことを特徴とする毛糸玉作成具。が提供され、
【０００９】
請求項３においては、
請求項１記載の毛糸玉作成具において、回動および傾斜停止手段６が、連結板３ａ・３ｂの上方に間隔をおいて突設された取付部２３ａ・２３ｂの内側面に、支軸２４ａ・２４ｂを対面してそれぞれ突設すると共に、該各支軸２４ａ・２４ｂの近傍の取付部２３ａ・２３ｂに半球状突起２５ａ・２５ｂをそれぞれ突設する一方、前記第２の大径の毛糸玉巻き付け部材４および第２の小径の毛糸玉巻き付け部材５の基端部に、前記各支軸２４ａ・２４ｂに嵌合する凹溝２６ａ・２６ｂを凹設した肉厚の軸受部２７ａ・２７ｂを突設し、前記第２の大径の毛糸玉巻き付け部材４および第２の小径の毛糸玉巻き付け部材５が、前記各支軸２４ａ・２４ｂに嵌合した軸受部２７ａ・２７ｂを介して回動し、更に、前記第２の大径の毛糸玉巻き付け部材４および第２の小径の毛糸玉巻き付け部材５が、前記第１の大径の毛糸玉巻き付け部材１および第２の小径の毛糸玉巻き付け部材２に対して、それぞれ任意の傾斜角度位置で停止することができるよう、前記各取付部２３ａ・２３ｂの各半球状突起２５ａ・２５ｂが、前記軸受部２７ａ・２７ｂの両端外周壁面２８ａ・２８ｂに沿ってスライドして嵌合する、複数個の半球状凹部２９をそれぞれ所定角度の位相差をもって、該軸受部２７ａ・２７ｂの両端外周壁面２８ａ・２８ｂに凹設して形成したことを特徴とする毛糸玉作成具。が提供され、
【００１０】
請求項４においては、
請求項１記載の毛糸玉作成具において、ストッパー手段７が、第１の大径の毛糸玉巻き付け部材１および第１の小径の毛糸玉巻き付け部材２の先端縁部に小突片３０を突設すると共に、該小突片３０の中央上部に半球状突起３１を突設する一方、前記第２の大径の毛糸玉巻き付け部材４および第２の小径の毛糸玉巻き付け部材５の先端縁部に、前記小突片３０よりは長い突片３２を突設すると共に、該突片３２の下面に前記半球状突起３１を嵌合する半球状凹部３３が凹設され、更に、前記突片３２の端部には、断面倒凹状の嵌合部材３４の基端部を回動自在に軸支し、且つ前記嵌合部材３４には前記突片３２の上面に突設されたストッパー用半球状突起３５に嵌合するストッパー用凹部３６をそれぞれ凹設して形成したことを特徴とする毛糸玉作成具。が提供される。
【考案の効果】
【００１１】
前記構成より成る本考案によれば、下記記載の効果を奏することができる。
【００１２】
請求項１記載の考案によれば、
第１の大径の毛糸玉巻き付け部材１および第１の小径の毛糸玉巻き付け部材２のそれぞれの基端部が、連結板３ａ・３ｂを介して横方向に一体に連結固定されると共に、前記第１の大径の毛糸玉巻き付け部材１および第１の小径の毛糸玉巻き付け部材２と、ほぼ上下対称に形成された第２の大径の毛糸玉巻き付け部材４および第２の小径の毛糸玉巻き付け部材５の基端部が、前記連結板３ａ・３ｂ に設置された回動および傾斜停止手段６に、回動可能で、且つ任意角度位置に傾斜停止可能に軸支されているので、前記各毛糸玉巻き付け部材１・２・４・５に毛糸Ｋを巻き付ける作業が容易に行うことができ、更に、毛糸Ｋを巻き付けた各毛糸玉巻き付け部材１・４および２・５をそれぞれ当接して一体に固定することにより、前記巻き付けられた２つの毛糸巻Ｍの２分割作業もスムーズに行えるので、熟練を要することなく、極めて簡単、且つ迅速に、大径と小径の２つのサイズの毛糸玉を同時に作成することができる。
【００１３】
請求項２記載の考案によれば、各毛糸玉巻き付け部材１・４および２・５とに、毛糸Ｋを巻き付けて行く際、該毛糸Ｋが各湾曲端面２１ａ・２１ｂに接するので、接触抵抗が小となり、毛糸Ｋの切断が防止される。
【００１４】
請求項３記載の考案によれば、第２の大径の毛糸玉巻き付け部材４および第２の小径の毛糸玉巻き付け部材５を、回動および傾斜停止手段３を介して、所定傾斜角度で傾斜して停止させることもできるので、前記第２の大径の毛糸玉巻き付け部材４および第２の小径の毛糸玉巻き付け部材５へ毛糸Ｋを巻き付ける際、前記巻き付け部材を動かないようにして、作業者の巻き付け作業を容易にすることができる。
【００１５】
請求項４記載の考案によれば、
第２の大径の毛糸玉巻き付け部材４および前記第２の小径の毛糸玉巻き付け部材５を、第１の大径の毛糸玉巻き付け部材１および前記第１の小径の毛糸玉巻き付け部材２の上方側へ回動させて、ストッパー手段7で第１の大径の毛糸玉巻き付け部材１および第２の大径の毛糸玉巻き付け部材４とを、また第１の小径の毛糸玉巻き付け部材２および第２の小径の毛糸玉巻き付け部材５とを、それぞれ一体に連結固定でき、これにより各巻き付けられた毛糸玉の２分割作業および固結び作業も容易にできる。
【図面の簡単な説明】
【００１６】
【図１】本考案毛糸玉作成具の全体を示す斜視図である。
【図２】本考案毛糸玉作成具の全体を示す正面図である。
【図３】本考案毛糸玉作成具の全体を示す平面図である。
【図４】本考案毛糸玉作成具の全体を示す底面図である。
【図５】本考案毛糸玉作成具において、第２の大径の毛糸巻き付け部材を傾斜して起立させた状態を示す全体の斜視図である。
【図６】本考案毛糸玉作成具において、第２の大径の毛糸巻き付け部材部分を示す要部の平面図である。
【図７】図６のＡ−Ａ線断面図である。
【図８】本考案毛糸玉作成具において、第２の小径の毛糸巻き付け部材部分を示す要部の平面図である。
【図９】図８のＢ−Ｂ線断面図である。
【図１０】本考案毛糸玉作成具を分解して示す全体の斜視図である。
【図１１】本考案毛糸玉作成具において、回動および傾斜停止手段を分解して示す斜視図である。
【図１２】本考案毛糸玉作成具において、回動および傾斜停止手段を使用して第２の大径の毛糸巻き付け部材と第２の小径の毛糸巻き付け部材をそれぞれ傾斜または直角に起立させた状態を示す全体の正面図である。
【図１３】本考案毛糸玉作成具において、ストッパー手段部分を示す要部の平面図である。
【図１４】本考案毛糸玉作成具を使用して毛糸玉を作成する第１工程を示し、第２の大径の毛糸玉巻き付け具に毛糸を巻き付けた状態を示す正面図である。
【図１５】本考案毛糸玉作成具を使用して毛糸玉を作成する第２工程を示し、第２の大径の毛糸玉巻き付け具に毛糸を巻き付ける一方、第１の大径の毛糸玉巻き付け具に毛糸を巻き付けた後、第２の大径の毛糸玉巻き付け部材を第１の大径の毛糸玉巻き付け部材上面に回動させて圧接させた状態を示す正面図である。
【図１６】本考案毛糸玉作成具を使用して毛糸玉を作成する第３工程を示し、第２の巻き付け部材に毛糸を巻き付けて形成した毛糸巻を、２分割するために、鋏を一方側の挿通孔に挿通して、毛糸巻の端縁部をカットしている状態を示す斜視図である。
【図１７】本考案毛糸玉作成具を使用して毛糸玉を作成する第４工程を示し、第２の巻き付け部材に毛糸を巻き付けて形成した毛糸巻の端縁部をカットした後、鋏を傾斜面に沿って摺動させて毛糸巻をカットしている状態を示す斜視図である。
【図１８】本考案毛糸玉作成具を使用して毛糸玉を作成する第５工程を示し、第２の大径の毛糸玉巻き付け具と第１の大径の毛糸玉巻き付け具とに巻き付けて形成した毛糸巻を、鋏を使用して２分割した後、型結び用の毛糸で型結びしている状態を示す斜視図である。
【図１９】本考案毛糸玉作成具を使用して毛糸玉を作成する第６工程を示し、第２の大径の毛糸玉巻き付け具と第１の大径の毛糸玉巻き付け具とに巻き付けて形成した毛糸巻、および第２の小径の毛糸玉巻き付け具と第１の小径の毛糸玉巻き付け具とに巻き付けて形成した毛糸巻をそれぞれ型結び用の毛糸で型結びして結合した後、型結びして玉状となった毛糸巻を、第２の大径の毛糸玉巻き付け具と第１の大径の毛糸玉巻き付け具、および第２の小径の毛糸玉巻き付け具と第１の小径の毛糸玉巻き付け具から取外し、毛糸玉の最終仕上げを行ない、最終製品である毛糸玉とする状態を示す斜視図である。
【実施例】
【００１７】
本考案毛糸玉作成具は、大径の毛糸玉と小径の毛糸玉の２個の毛糸玉をそれぞれ別々に作成する機能を有するよう、プラスチックにより成形加工されたものであり、全体的にほぼ同一形状に形成された第１の大径の毛糸玉巻き付け部材１および第１の小径の毛糸玉巻き付け部材２の基端部が、連結板３ａ・３ｂを介して横方向に一体に連結固定されると共に、前記第１の大径の毛糸玉巻き付け部材１および第１の小径の毛糸玉巻き付け部材２と、ほぼ上下対称に形成された第２の大径の毛糸玉巻き付け部材４および第２の小径の毛糸玉巻き付け部材５の基端部が、前記連結板３ａ・３ｂ に設置された回動および傾斜停止手段６に、回動可能で、且つ任意角度位置に傾斜停止可能に軸支されて形成されている。
【００１８】
前記第１の大径の毛糸玉巻き付け部材１の基端部に設けられた回動および傾斜停止手段６を介して、前記第２の大径の毛糸玉巻き付け部材４を回動可能で、且つ任意角度に傾斜停止可能に軸支して、該第２の大径の毛糸玉巻き付け部材４を、前記第１の大径の毛糸玉巻き付け部材１の上方側へ回動させて、前記第１の大径の毛糸玉巻き付け部材１と第２の大径の毛糸玉巻き付け部材４とを当接して、該第１の大径の毛糸玉巻き付け部材１と第２の大径の毛糸玉巻き付け部材４とをストッパー手段７で一体に接合固定できるよう形成されている。
【００１９】
一方、前記第１の小径の毛糸玉巻き付け部材２の基端部に設けられた回動および傾斜停止手段６を介して、前記第２の小径の毛糸玉巻き付け部材５を回動可能で、且つ任意角度に傾斜停止可能に軸支して、該第２の小径の毛糸玉巻き付け部材５を、前記第１の小径の毛糸玉巻き付け部材２の上方側へ回動させて、前記第１の小径の毛糸玉巻き付け部材２と第２の小径の毛糸玉巻き付け部材５とを当接して、該第１の小径の毛糸玉巻き付け部材２と第２の小径の毛糸玉巻き付け部材５とをストッパー手段７で一体に接合固定できるよう形成されている。
【００２０】
前記第１の大径の毛糸玉巻き付け部材１および第２の大径の毛糸玉巻き付け部材４、並びに前記第１の小径の毛糸玉巻き付け部材２および第２の小径の毛糸玉巻き付け部材５の中央部付近には、２組の半円環状板８ａ・８ｂおよび９ａ・９ｂが、後述する毛糸挿通用隙間１０を形成できるようにして対面して連結固定されて 、下方側へ湾曲して突出した第１の大径の毛糸玉巻き付け具１１と上方側へ湾曲して突出した第２の大径の毛糸玉巻き付け具１２、および下方側へ湾曲して突出した第１の小径の毛糸玉巻き付け具１３と上方側へ湾曲して突出した第２の小径の毛糸玉巻き付け具１４とがそれぞれ形成されている。そして、前記第１の大径の毛糸玉巻き付け具１１および第２の大径の毛糸玉巻き付け具１２、並びに第１の小径の毛糸玉巻き付け具１３および第２の小径の毛糸玉巻き付け具１４をそれぞれ構成する各半円環状板８ａ・８ｂおよび９ａ・９ｂの内側面の外周端部に、外側方向へ拡開した傾斜面１５をそれぞれ備えて形成されている。
【００２１】
前記構成より成る２組の半円環状板８ａ・８ｂおよび９ａ・９ｂを、各傾斜面１５がそれぞれ対面するようにすると共に、該各傾斜面１５間に毛糸挿通用隙間１０を存して一体に連結固定して、それぞれ第１の大径の毛糸玉巻き付け具１１および第２の大径の毛糸玉巻き付け具１２、並びに第１の小径の毛糸玉巻き付け具１３おおび第２の小径の毛糸玉巻き付け具１４がそれぞれ形成されている。そして、前記各傾斜面１５間に毛糸挿通用隙間１０を存して、前記各半円環状板８ａ・８ｂおよび９ａ・９ｂを一体に連結固定すべく、該各半円環状板８ａ・８ｂおよび９ａ・９ｂの両側開放端部に、それぞれ直角に突出片１６ａ・１６ｂを延設すると共に、前記対面する半円環状板８ａ・８ｂおよび９ａ・９ｂにそれぞれ延設された突出片１６ａ・１６ｂとを、後述する毛糸Ｋおよび鋏Ｈの刃先部を挿通する挿通孔１８ａ・１８ｂをそれぞれ開口した、倒Ｕ字状をした連結片１９ａ・１９ｂの両側開放端縁部に連結固定することにより、前記半円環状板８ａ・８ｂおよび９ａ・９ｂの前後位置に、毛糸Ｋの巻き付け用の空隙部２０ａ・２０ｂをそれぞれ備えた第１の大径の毛糸玉巻き付け具１１および第２の大径の毛糸玉巻き付け具１２、並びに第１の小径の毛糸玉巻き付け具１３と第２の小径の毛糸玉巻き付け具１４とがそれぞれ形成される。
【００２２】
なお、前記突出片１６ａ・１６ｂの各対面する前後端縁には、湾曲端面２１ａ・２１ｂが設けられると共に、前記第１の大径の毛糸玉巻き付け具１１および第２の大径の毛糸玉巻き付け具１２、並びに第１の小径の毛糸玉巻き付け具１３および第２の小径の毛糸玉巻き付け具１４を構成する半円環状板８ａ・８ｂおよび９ａ・９ｂに近接する内方側の連結片１９ａ・１９ｃには、巻初めや、巻終わりの毛糸Ｋの端部を掛止する掛止用スリット２２ａ・２２ｂがそれぞれ形成されている。図１に示す実施例においては、掛止用スリット２２ａ・２２ｂは、各半円環状板８ａ・８ｂおよび９ａ・９ｂに近接する内方側の連結片１９ａ・１９ｂに形成されているが、前記各半円環状板８ａ・８ｂおよび９ａ・９ｂに近接する外方側の連結片１９ａ・１９ｂに形成してもよい。また、前記湾曲端面２１ａ・２１ｂをそれぞれ設けることにより、後述する第１の大径の毛糸玉巻き付け具１１と第２の大径の毛糸玉巻き付け具１２、および第１の小径の毛糸玉巻き付け具１３と第２の小径の毛糸玉巻き付け具１４とに、前記空隙部２０ａ・２０ｂを通して毛糸Ｋを巻き付けて行く際、該湾曲端面２１ａ・２１ｂに、前記巻き付けられて行く毛糸Ｋが接するので、接触抵抗が小さくなり、その結果、前記巻き付けて行く毛糸Ｋの切断を防止することができる。
【００２３】
更に、本考案においては、前記構成より成る第２の大径の毛糸玉巻き付け部材４および第２の小径の毛糸玉巻き付け部材５を、前記第１の大径の毛糸玉巻き付け部材１および第１の小径の毛糸玉巻き付け部材２の内側の基端部において回動および傾斜停止手段６を介して回動可能に軸支して、第２の大径の毛糸玉巻き付け部材４および第２の小径の毛糸玉巻き付け部材５を前記回動および傾斜停止手段６を介して、前記該第１の大径の毛糸玉巻き付け部材１および第１の小径の毛糸玉巻き付け部材２の上方側へ回動させて、該第１の大径の毛糸玉巻き付け部材１および第２の小径の毛糸玉巻き付け部材２とに当接して、前記第１の大径の毛糸玉巻き付け部材１および第２の大径の毛糸玉巻き付け部材４、並びに前記第１の小径の毛糸玉巻き付け部材２および第２の小径の毛糸玉巻き付け部材５とをストッパー手段７で一体に連結固定することにより、前記第１の大径の毛糸玉巻き付け具１１および第２の大径の毛糸玉巻き付け具１２、並びに前記第１の小径の毛糸玉巻き付け具１３と第２の小径の毛糸玉巻き付け具１４は、上下に連接されて全体として環状になるよう形成されている。
【００２４】
前記回動および傾斜停止手段６は、前記第１の大径の毛糸玉巻き付け部材１および前記第２の小径の毛糸玉巻き付け部材２の各内側方向基端部において、前記第２の大径の毛糸玉巻き付け部材４および前記第２の小径の毛糸玉巻き付け部材５が回動可能に、且つ所定の傾斜位置で停止可能にできるような構成であれば、いずれも採用することができる。本考案実施例においては、特に限定する必要はないが、好ましくは、図１０〜図１２に示すような構成とすることが推奨される。
【００２５】
すなわち、本考案実施例として図１０〜図１２に示されている回動および傾斜停止手段６は、前記連結板３ａ・３ｂの上方に一体に突設された取付部２３ａ・２３ｂの内側面に、支軸２４ａ・２４ｂを対面してそれぞれ突設すると共に、該各支軸２４ａ・２４ｂの近傍の取付部２３ａ・２３ｂに１個の半球状突起２５ａ・２５ｂをそれぞれ突設する一方、前記第２の大径の毛糸玉巻き付け部材４および第２の小径の毛糸玉巻き付け部材５の各内側方向基端部に、前記各支軸２４ａ・２４ｂに嵌合する凹溝２６ａ・２６ｂを凹設した肉厚の軸受部２７ａ・２７ｂを突設し、前記第２の大径の毛糸玉巻き付け部材４および第２の小径の毛糸玉巻き付け部材５が、前記各支軸２４ａ・２４ｂに嵌合した軸受部２７ａ・２７ｂを介して回動し、更に、前記第２の大径の毛糸玉巻き付け部材４および第２の小径の毛糸玉巻き付け部材５が、前記第１の巻き付け部材１および第２の巻き付け部材２に対して、それぞれ任意の傾斜角度位置で停止することができるよう、前記各取付部２３ａ・２３ｂの各半球状突起２５ａ・２５ｂが、前記軸受部２７ａ・２７ｂの両端外周壁面２８ａ・２８ｂに沿ってスライドして嵌合する、複数個の半球状凹部２９をそれぞれ所定角度の位相差をもって、該軸受部２７ａ・２７ｂの両端外周壁面２８ａ・２８ｂに凹設して形成されている。
【００２６】
そして、前記第２の大径の毛糸玉巻き付け部材４および第２の小径の毛糸玉巻き付け部材５の各軸受部２７ａ・２７ｂを、前記各支軸２４ａ・２４ｂに前記凹溝２６ａ・２６ｂを介して嵌合することにより、前記第２の大径の毛糸玉巻き付け部材４および第２の小径の毛糸玉巻き付け部材５は、前記第１の大径の毛糸玉巻き付け部材１および第１の小径の毛糸玉巻き付け部材２に、前記回動および傾斜停止手段６を介して回動可能に連結されると共に、前記第２の大径の毛糸玉巻き付け部材４および第２の小径の毛糸玉巻き付け部材５を回動すると、前記各半球状突起２５ａ・２５ｂが、前記軸受部２７ａ・２７ｂの両端外周壁面２８ａ・２８ｂに沿ってスライドして、いずれかの半球状凹部２９に嵌合することにより、前記第２の大径の毛糸玉巻き付け部材４および第２の小径の毛糸玉巻き付け部材５をそれぞれ所定の傾斜角度位置で停止させることができるのである。
【００２７】
更に、前記第２の大径の毛糸玉巻き付け部材４および第２の小径の毛糸玉巻き付け部材５を、前記回動および傾斜停止手段６を介して、前記第１の大径の毛糸玉巻き付け部材１および第１の小径の毛糸玉巻き付け部材２の上方側へ回動させて、該第１の大径の毛糸玉巻き付け部材１および第１の小径の毛糸玉巻き付け部材２とを当接して連結固定するストッパー手段７が、前記第１の大径の毛糸玉巻き付け部材１および第１の小径の毛糸玉巻き付け部材２、並びに第２の大径の毛糸玉巻き付け部材４および第２の小径の毛糸玉巻き付け部材５の各外側方向先端部に設置されている。前記ストッパー手段７は、前記第１の大径の毛糸玉巻き付け部材１および第１の小径の毛糸玉巻き付け部材２に、前記第２の大径の毛糸玉巻き付け部材４および第２の小径の毛糸玉巻き付け部材５が当接して固定することができる機能を備えた構成であればよく、その構成は特に限定する必要はないが、本考案においては、好ましくは図１、図５および図７等に示すような構成とすることが推奨される。
【００２８】
すなわち、図１、図５および図７等において示されているように、ストッパー手段７は、前記第１の大径の毛糸玉巻き付け部材１および第１の小径の毛糸玉巻き付け部材２の各外側方向先端部に小突片３０をそれぞれ突設すると共に、該各小突片３０の中央上部に半球状突起３１を突設する一方、前記第２の大径の毛糸玉巻き付け部材４および第２の小径の毛糸玉巻き付け部材５の先端部に、前記小突片３０よりは前後方向に長い突片３２をそれぞれ突設すると共に、該突片３２の下面に前記半球状突起３１を嵌合する半球状凹部３３が凹設され、更に前記各突片３２の端部には、断面倒凹状の嵌合部材３４の基端部を回動自在に軸支し、且つ前記嵌合部材３４には前記各突片３２の下面に突設されたストッパー用半球状突起３５に嵌合するストッパー用凹部３６がそれぞれ凹設されて形成されている。
【００２９】
前記構成より成るストッパー手段７の作用について説明する。前記第２の大径の毛糸玉巻き付け部材４および第２の小径の毛糸玉巻き付け部材５を、前記回動および傾斜停止手段６を介して、前記第１の大径の毛糸玉巻き付け部材１および第１の小径の毛糸玉巻き付け部材２の上方側へ回動して当接させ、前記各半球状突起３１を各半球状凹部３３に嵌合して、前記各小突片３０と各突片３２とを接合した後、前記各嵌合部材３４を回動させて、前記各小突片３０と各突片３２とに嵌合して、前記各ストッパー用半球状突起３５を各ストッパー用小孔３６に嵌合することにより、前記第１の大径の毛糸玉巻き付け部材１および第１の小径の毛糸玉巻き付け部材２と、前記第２の大径の毛糸玉巻き付け部材４および第２の小径の毛糸玉巻き付け部材５とは一体に接合固定される。なお、前記接合固定状態を解除するときは、前記と逆の操作をすればよい。
【００３０】
前記構成より成る考案毛糸玉作成具の作用について説明する。前記のように、本考案毛糸玉作成具は大径と小径の２つの毛糸玉を作成する機能を有しており、両者の毛糸玉の作成操作は同一であるので、説明の都合上、大径の毛糸玉作成操作のみについて説明すれば充分であると解する。すなわち、使用者は、回動および傾斜停止手段６を介して前記第２の大径の毛糸玉巻き付け部材４を回動および傾斜させて、適位置において停止させる。そして、第１工程として、図１４に示すように、第２の大径の毛糸玉巻き付け部材４の一方の掛止用スリット２２ａに巻初めの毛糸Ｋの端縁部を掛止した後、前記第２の大径の毛糸玉巻き付け具１２に空隙部２０ａを通して毛糸Ｋを均一に巻き付けて、半ドーナツ状の毛糸巻Ｍ１を形成し、そして巻終わりの毛糸Ｋの端縁部を他方の掛止用スリット２２ａに掛止して、前記半ドーナツ状に形成された毛糸巻Ｍ１の端縁を鋏でカットする。以下同様に、第１の大径の毛糸玉巻き付け部材１の一方の掛止用スリット２２ａに巻初めの毛糸Ｋの端縁部を掛止した後、前記第１の大径の毛糸玉巻き付け具１１に空隙部２０ａを通して毛糸Ｋを均一に巻き付けて、半ドーナツ状の毛糸巻Ｍ２を形成し、そして巻終わりの毛糸Ｋの端縁部を他方の掛止用スリット２２ａに掛止して、前記半ドーナツ状に形成された毛糸巻Ｍ２の端縁を鋏でカットして、前記第１の大径の毛糸玉巻き付け部材１および第２の大径の毛糸玉巻き付け部材４のそれぞれに、半ドーナツ状の毛糸巻Ｍ１・Ｍ２をそれぞれ作成する。
【００３１】
次に、第２工程として、図１５に示すように、前記２巻の半ドーナツ状の毛糸巻Ｍ１・Ｍ２を作成した後、該半ドーナツ状の毛糸巻Ｍ１・Ｍ２を巻き付けた第２の大径の毛糸玉巻き付け部材４を、回動および傾斜停止手段６を介して第１の大径の毛糸玉巻き付け部材１の上面側へ回動して、該第１の大径の毛糸玉巻き付け部材１上面に当接させて、ストッパー手段７を用いて、前記半ドーナツ状の毛糸巻Ｍ１・Ｍ２を巻き付けた第１の大径の毛糸玉巻き付け部材１と第２の大径の毛糸玉巻き付け部材４とを一体に接合固定し、然る後、第３工程として、図１６に示すように、第２の大径の毛糸玉巻き付け具に毛糸を巻き付けて形成した毛糸巻Ｍ１を、２分割するために、鋏Ｈを一方側の挿通孔１８ａに挿通して、毛糸巻Ｍ１の端縁部をカットする一方、同様に第１の大径の毛糸玉巻き付け具に毛糸を巻き付けて形成した毛糸巻Ｍ２の端縁部をカットする。
【００３２】
前記第３工程において、前記各毛糸巻の端縁部をカットした後、第４工程として、図１７に示すように、前記第２の大径の毛糸玉巻き付け具１２の両傾斜面１５間に鋏Ｈを挿入して、該両傾斜面１５に沿って、これをガイドとして鋏Ｈを移動させて、前記各半ドーナツ状の毛糸巻Ｍ１をカットし、前記第２の大径の毛糸玉巻き付け具１２に巻き付けられた各ドーナツ状の毛糸巻Ｍ１を２分割する一方、同様に、前記第１の大径の毛糸玉巻き付け具１１の両傾斜面１５間に鋏Ｈを挿入して、該両傾斜面１５に沿って、これをガイドとして鋏Ｈを移動させて、前記各半ドーナツ状の毛糸巻Ｍ２をカットし、前記第１の大径の毛糸玉巻き付け具１１に巻き付けられた各ドーナツ状の毛糸巻Ｍ２を２分割する。
【００３３】
その後、第５工程として、図１８に示すように、前記各半ドーナツ状の毛糸巻Ｍ１・Ｍ２を２分割した後、その切断部分をそれぞれ外方向に押し広げ、型結び用の毛糸Ｋを前記２個の挿通孔１８ａに挿通した後、外部に露出した毛糸挿通用隙間１０に前記型結び用の毛糸Ｋを挿通して、前記２分割された２組のドーナツ状の毛糸巻Ｍ１・Ｍ２を一体になるよう強く型結びし、然る後、最終工程の第６工程として、図１９に示すように、前記ストッパー手段７の固定状態を解除して、第１の大径の毛糸玉巻き付け部材１と第２の大径の毛糸玉巻き付け部材４を開放して、前記型結びされて毛玉状となった毛玉を取り出し、その後全体の形を整え、毛糸玉Ｐを完成させるのである。
【符号の説明】
【００３４】
Ｋ  毛糸
Ｍ１・Ｍ２  毛糸巻
Ｈ  鋏
Ｐ  毛糸玉
１  第１の大径の毛糸玉巻き付け部材  
２  第１の小径の毛糸玉巻き付け部材
３ａ・３ｂ  連結板
４  第２の大径の毛糸玉巻き付け部材  
５  第２の小径の毛糸玉巻き付け部材
６  回動および傾斜停止手段
７  ストッパー手段
８ａ・８ｂ  半円環状板
９ａ・９ｂ  半円環状板
１０  毛糸挿通用隙間
１１  第１の大径の毛糸玉巻き付け具  
１２  第２の大径の毛糸玉巻き付け具
１３  第１の小径の毛糸玉巻き付け具  
１４  第２の小径の毛糸玉巻き付け具
１５  傾斜面
１６ａ・１６ｂ  突出片
１８ａ・１８ｂ  挿通孔
１９ａ・１９ｂ    連結片
２０ａ・２０ｂ  空隙部
２１ａ・２１ｂ  湾曲端面
２２ａ・２２ｂ  掛止用スリット
２３ａ・２３ｂ  取付部
２４ａ・２４ｂ  支軸
２５ａ・２５ｂ  半球状突起
２６ａ・２６ｂ  凹溝
２７ａ・２７ｂ  軸受部
２８ａ・２９ｂ  外周壁面
２９  半球状凹部
３０  小突片
３１  半球状突起
３２  突片
３３  半球状凹部
３４  嵌合部材
３５  ストッパー用半球状突起
３６  ストッパー用凹部
【図１】
0003214480.tif 000003
【図２】
0003214480.tif 000004
【図３】
0003214480.tif 000005
【図４】
0003214480.tif 000006
【図５】
0003214480.tif 000007
【図６】
0003214480.tif 000008
【図７】
0003214480.tif 000009
【図８】
0003214480.tif 000010
【図９】
0003214480.tif 000011
【図１０】
0003214480.tif 000012
【図１１】
0003214480.tif 000013
【図１２】
0003214480.tif 000014
【図１３】
0003214480.tif 000015
【図１４】
0003214480.tif 000016
【図１５】
0003214480.tif 000017
【図１６】
0003214480.tif 000018
【図１７】
0003214480.tif 000019
【図１８】
0003214480.tif 000020
【図１９】
0003214480.tif 000021